Podtech/llm-jp-corpus-v4-ja_patent huggingface dataset:
(57)【要約】【課題】  古来より食に供された沖縄地方特産の苔植物（モーアーサ）は、その繁茂が自然状況下にあり、収穫や採取の大変さや付着する土や砂の除去に手間が掛かった為、市場から姿を消した食用植物であった。栄養価に富んでいる事から、復活を求める声が多かった。しかし、人工的栽培などに着手する事は無かった。【解決手段】  家庭でも簡単に栽培できる様にコンパクト化された栽培システム装置であり、事業用システムにもそのまま転用できるシステムを構築し、更に育成ランプに併設した紫外線殺菌灯、そして、バクテリア成育フィルターの設置による、良質な水耕栽培を可能にし、家庭や事業転用での栽培が簡単に実施でき、紫外線殺菌と優良バクテリア処理による衛生的な栽培を可能に、しかも、収穫の寛容さも含めた手段を取った。【選択図】図１
2009273451.tif 000002
【特許請求の範囲】
【請求項１】
モーアーサ（食用苔植物）の水耕栽培小型栽培装置。
【請求項２】
請求項１の装置に於ける、植え込み床の構造。
【請求項３】
請求項１の装置に於ける、水耕栽培水槽のフィルター浄化装置の構造。
【発明の詳細な説明】
【技術分野】
【０００１】  本発明は、モーアーサ（食用苔植物）の水耕栽培小型栽培装置に関するものであり、沖縄地域に自然発生する食用植物を簡単に、しかも、土や砂などの付着物除去の難題を排除し、家庭内でも栽培が可能な装置に関するものである。
【背景技術】
【０００２】  従来、モーアーサ植物は、沖縄地方で食用として食卓に載っていたのであるが、自然繁茂に頼っていた為、採取の十労働や、付着している土や砂の除去に手間が掛かっていた。この事により、消費度合いも減少し市場に出る事が無くなった。栄養素の大きい植物の簡易栽培を可能にし、食に供与する為に開発した技術である。
【発明の開示】
【発明が解決しようとする課題】
【０００３】  従来のモーアーサ植物は、水耕栽培などの人工的栽培が成されていなかった。労力が要らない栽培方法が模索されもせず、失われた食に数えられたが、食した経験者から、復活を望む声が大きい。その為、簡単に、しかも衛生的に栽培する技術開発が課題であった。
【課題を解決しようとする手段】
【０００４】  この課題を解決する為の請求項１の発明は、コンパクトで家庭での栽培が可能な事と衛生的な栽培が可能な事を必須条件として、流水方式にバクテリア処理機能を付加。更に紫外線殺菌、多量繁茂と収穫しやすい植え込み床の構造を成す事を手段とした。
【０００５】  また、請求項２の発明は、請求項１の発明で設置された植え込み床の構造についての具体的な構造に対して特定するもので、多量繁茂と収穫しやすい結果を、得たものである。
【０００６】  更に、請求項３の発明は、水耕栽培水槽のフィルター浄化装置に関するもので、優良バクテリアの成育を利用した、雑菌の除去を手段にしたフィルター部分の構造に関するものである。
【発明の効果】
【０００７】  本発明により、コンパクトで家庭での栽培が簡単に実施でき、紫外線殺菌と優良バクテリア処理による衛生的な栽培が可能になった。しかも、収穫も手で摘むだけの寛容さもあり、収量も自然繁茂の数十倍と判定された。
【発明を実施するための最良の形態】
【０００８】  図１は、請求項１に関する図で、家庭でも簡単に栽培できる様にコンパクト化された栽培システム装置であり、発明の効果が著しいものである。循環式流水槽と栽培床構造更に育成ランプに併設した紫外線殺菌灯、そして、バクテリア成育フィルターの設置による、良質な水耕栽培を可能にしたものである。【０００９】  図２は、請求項２に関する図で、請求項１で設備した栽培床の構造を特定したもので繁茂量の増大と収穫時の引き抜きが簡単に実施できる為の構造を示している。【００１０】  図３は、請求項３に関する図で、水耕栽培水槽のフィルター浄化装置を示すが、従来の水耕栽培には、この様なバクテリア式の浄化装置は使用しておらず、衛生面での改善が可能となった。Ｏ−１５７やＯ−１０１などの菌類を除去するための、バクテリア繁殖を大きくした構造を取り入れたものである。
【産業上の利用可能性】
【００１１】  単純な装置に寄っても、十分な効果が発揮出来る訳で、この装置をそのまま拡大する事で、事業用大量栽培も可能である。失われた栄養豊富な植物の復活が及ぼす社会的心理や実際面の商業的利益も十分得られるのである。
【図面の簡単な説明】
【００１２】
【図１】  請求項１のモーアーサ（食用苔植物）の水耕栽培小型栽培装置を示した断面図である
【図２】  請求項２の、請求項１の装置に於ける、植え込み床の構造に関する拡大説明図である、
【図３】  請求項３の、請求項１の装置に於ける、水耕栽培水槽のフィルター浄化装置の構造を示した説明図である。
【符号の説明】
１  繁茂複合網
２  バクテリア成育フィルター
３  紫外線殺菌灯（植物育成ランプ併設）
４  循環ポンプ
５  水位調整弁
６  穴開き散水用パイプ
７  水流あおり板
８  ストレーナー
９  循環パイプ
１０  棚受け
１１  脚部
１２  キャスター
１３  多孔板（８〜１０ｍ／ｍ）
１４  樹脂網多層床（２〜４ｍ／ｍ）
１５  流水穴開き板（５ｍ／ｍ）
１６  縦型細穴（１ｍ／ｍ以下）
１７  スポンジ板
【図１】
2009273451.tif 000003
【図２】
2009273451.tif 000004
【図３】
2009273451.tif 000005
(57)【要約】【課題】おにぎり、にぎり等は一定の形、大きさ重さに、何個も作るのに熟練が必要である。にぎるときに、手がご飯に触れると不衛生である。【解決の手段】一定の形、大きさ、重さのおにぎりを何個も作るため、上部開放型の、おにぎり又は、にぎり状の容器を用いる。上部開放部より、ご飯を上まで詰める。詰めると容器に詰まる。それで、一側面を横ぶた状のものとし、開閉式にした。又、手とご飯が、接触しないので、衛生的である。【選択図】図１
2009273455.tif 000002
【特許請求の範囲】
【請求項１】
上部開放型の容器状のもので、側面の一方が開閉式のご飯又はご飯類を一定の形、大きさ、重さに形成、製造する製造機である。
【発明の詳細な説明】
【技術分野】
【０００１】  この発明は上部開放型の容器状ので、一側面に開閉式の横ぶた状のものを、付けたおにぎり製造機に関するものである。
【背景技術】
【０００２】  従来、おにぎりは手で握る。又一定の形、おおきさ、重さのものを作るのは難かしい。
【発明の開示、発明が解決しようとする課題】
【０００３】  手で握ると不衛生である。一定の形、大きさ、重さの物を作るには熟練が必要である。
本発明は以上のような欠点をなくすためのものである。
【課題を解決するための手段】
【０００４】  おにぎり型又は形成したい形状をした上部開放型の容器状のものに、しゃもじ等で、ご飯を開口部から詰め込む、これによって、人の手に触れないで、衛生的である。又、形状によって、一定の形、大きさ、重さのおにぎり類ができる。ご飯類が、容器内部に詰まって出てこない、そのため、一側面に横ぶた状のものを付け、開閉式にした、横ぶたを取ると、簡単、容易に、容器から、取り出せる。
以上の構成よるなる横ぶた式おにぎり製造機である。
【発明の効果】
【０００５】  おにぎり又は、にぎり状のものを、だれでも、一定の形、大きさ、重さのものを、何個でも、容易に作れる。しかも、手とご飯が触れないので、衛生的である。
【発明を実施するための最良の形態】
【０００６】  以下、本発明の実施例について説明する。
横ぶた式おにぎり製造機本体（１）と、側面に開閉できる横ぶた式おにぎり製造機横ぶた（２）を設ける。横ぶた式おにぎり製造機に、ご飯をしゃもじ等で詰める、横ぶたをはずし、皿等にのせれば、一定の形、大きさ、重さのおにぎりが完成する。上記のように、くり返せば、同一のおにぎりが、何個でも、製造できる。
【図面の簡単な説明】
【０００７】
【図１】本発明の斜視図である
【図２】本発明の平面図である
【図３】本発明の正面図である
【符号の説明】
【０００８】１、横ぶた式おにぎり製造機本体
２、横ぶた式おにぎり製造機横ぶた
【図１】
2009273455.tif 000003
【図２】
2009273455.tif 000004
【図３】
2009273455.tif 000005
(57)【要約】      （修正有）【課題】飲食店などで他の客と相席になった時に、相手との間に簡単に立てられる、安価なテーブル用簡易衝立を提供する。【解決手段】相手４との間に置いたメニューブックスタンド３に折り畳んで差し込んであるテーブル用簡易衝立１を置き、これを拡げることにより相手４の視線を遮るようにする。あるいは、屏風のように山折り、谷折りの形状として、それ自体でテーブルに自立可能なテーブル用簡易衝立１とする。又、テーブル用簡易衝立１の両面にメニューを記載する。【選択図】図１
2009273814.tif 000002
【特許請求の範囲】
【請求項１】
メニューブックスタンドに差し込んで使うことを特徴としたテーブル用簡易衝立
【請求項２】
屏風のように山折り、谷折りの形状であり、それのみで立つことを特徴としたテーブル用簡易衝立
【請求項３】
メニューが裏表に書かれてあることを特徴とする請求項１又は２記載のテーブル用簡易衝立   
【発明の詳細な説明】
【技術分野】
【０００１】
本発明は、テーブル用の簡易衝立に関するものであり、メニューブックスタンドに
差し込むことを可能にしたものである          
【背景技術】
【０００２】
従来から、木やガラスなどのしっかりした素材で固定されたテーブル用の衝立は存在する  
【発明の開示】
【発明が解決しようとする課題】
【０００３】
しかし、飲食店などの２人用、４人用席では、お店が
混雑した時にアカの他人と相席しなけらばならず、その対面した人と目が合うなど、
気まずい雰囲気の中で食事をとらなければならなかった。
【課題を解決するための手段】
【０００４】
この課題を解決するための請求項１の発明は、
メニューブックスタンドに
差し込めることを特徴としたテーブル用簡易衝立である。
これを他の客と相席になった時、
普段、テーブルの端の方にあるメニューブックスタンドを相手との間に置き、そこにたたんで差し込んである簡易衝立を広げて、また差し込むことによって相手が視界に
入らないようにする。
【０００５】
また、請求項２の発明は、屏風のように山折り、谷折りの形状であり、それのみで立つことを可能にしたことを特徴とするテーブル用簡易衝立である。
これを他の客と相席になった時、普段、テーブルの端の方にあるメニューブックスタンドにたたんで差し込んである簡易衝立を取り出し、相手との間にそれのみで立つ程度に広げて、立たせることによって相手が視界に入らないようにする。
【０００６】
また、請求項３の発明は、請求項１、又は請求項２のテーブル用簡易衝立の
裏と表にお店のメニューを記載したものである。
【発明の効果】
【０００７】
本発明により、 簡単に衝立を設置できるので、アカの他人と相席
になった時にも、対面の相手を気にせず食事に集中することができる
【発明を実施するための最良の形態】
【０００８】
図１は、メニューブックスタンドに差し込むことが可能であり、お店のメニューが裏表に記載されたテーブル用簡易衝立
の斜視図である。
同図に示すように、普段テーブルの端にたたんで差し込んであるが、アカの他人に相席された時、メニューブックスタンドを相手との間に置き、衝立を広げて差し込んで使う。その際に、相手の目が隠れなければならないので縦の長さが最低５０ｃｍは必要である。しかし、たたんであるときは、あまり場所をとらないよう、コンパクトに折ることができるようにしなければならない。
また、衝立にメニューを載せる場合に、裏表同じ内容の記載であれば、どちら側の人間もメニューブックスタンドから取り外さなくても見ることができるので便利である。素材としては、よくレストランで使われているような、紙にビニールカバーがなされたものがよい
【０００９】
図２は、屏風のように山折り、谷折りの形状であり、それのみで立つことを可能にし、裏と表にメニューが記載されたテーブル用簡易衝立の斜視図である。
同図に示すように、普段テーブルの端にたたんで差し込んであるが、アカの他人に相席された時、メニューブックスタンドからたたんである衝立を取り出して、それのみで立つ程度に広げて、相手との間に置く。
その際に、相手の目が隠れなければならないので縦の長さが最低５０ｃｍは必要である。しかし、たたんであるときは、あまり場所をとらないよう、コンパクトに折ることができるようにしなければならない。
ただ、折り目の数はこだわらない。そのかわり、きちんと立つようにしっかりと折り目はつけるべき。
また、衝立にメニューを載せる場合に、裏表同じ内容の記載であれば、どちら側の人間もメニューブックスタンドから取り外さなくても見ることができるので便利である。素材としては、よくレストランで使われているような、紙にビニールカバーがなされたものがよい。
【００１０】
４人用のテーブルをアカの他人どうしで使用する際には、図３のように衝立を２つ用いるとよい。
【産業上の利用可能性】
【００１１】
本発明に係る衝立は、工業的に量産することが可能であるため、産業上の利用可能生を有する。
【図面の簡単な説明】
【００１２】
【図１】メニューブックスタンドに広げて差し込むことが可能であり、裏表にお店のメニューが記載されていることを特徴とするテーブル用簡易衝立の斜視図
【図２】屏風のように山折り、谷折りの形状であり、それのみで立つことを可能にし、裏表にメニューが記載されていることを特徴とするテーブル用簡易衝立の斜視図
【図３】４人用のテーブルをアカの他人どうしで利用する場合のテーブル用簡易衝立の使い方の図
【符号の説明】
【００１３】
１  メニューブックスタンドに広げて差し込むことが可能であり、
裏表にお店のメニューが記載されていることを特徴とするテーブル用簡易衝立
２  屏風のように山折り、谷折りの形状であり、それのみで立つことを可能にし、
裏表にメニューが記載されていることを特徴とするテーブル用簡易衝立
３  メニューブックスタンド
４  アカの他人
【図１】
2009273814.tif 000003
【図２】
2009273814.tif 000004
【図３】
2009273814.tif 000005
(57)【要約】【課題】  （イ）ストローの部分がまっすぐなものしかなくパッケージが大きくなっていた。  そのため陳列のスペースを多く取っていた。  （ロ）シンプルなデザインでしかなくファツション性や訴求力がなかった。【解決手段】ペットボトル用キャツプ部の中心部に孔を設け、この孔に同径の蛇腹ストローを通説しキャツプ上方へキャラクターを介して蛇腹ストローを突出させその先端部に呑み口用差し込み部を設けたことを特徴とする蛇腹ストロー付キャツプ。【選択図】図１
2009273840.tif 000002
【特許請求の範囲】
【請求項１】
ペットボトル用キャツプ部の中心部に孔を設け、この孔に同径の蛇腹ストローを通説しキャツプ上方へキャラクターを介して蛇腹ストローを突出させその先端部に呑み口用差し込み部を設けたことを特徴とする蛇腹ストロー付キャツプ。
【発明の詳細な説明】
【技術分野】
【０００１】  本発明は、ペットボトルを使用後飲み口の部分に新たに付け加える蛇腹ストロー付キャツプに関する発明である。
【背景技術】
【０００２】  従来、ペットボトル飲料を飲みを得た後は、廃棄してしまうか、もともと付属していたキャツプをつけ別な飲み物を入れ再利用していた。なお、キャプの部分をストロータイプに付け替えるものは、すでに発売されている。
【発明の開示】
【発明が解決しようとしている課題】
【０００３】  従来より次の問題点があった。
（ハ）ストローの部分がまっすぐなものしかなくパッケージが大きくなっていた。
そのため陳列のスペースを多く取っていた。
（ニ）シンプルなデザインでしかなくファッション性や訴求力がなかった。
【課題を解決するための手段】
【０００４】ペットボトル用キャツプ部の中心部に孔を設け、この孔に同径の蛇腹ストローを通説しキャツプ上方へキャラクターを介して蛇腹ストローを突出させその先端部に呑み口用差し込み部を設けたことを特徴とする蛇腹ストロー付キャツプである。
【発明の効果】
【０００５】  （イ）本発明は、今までパッケージが大きくなってしまっており、同様の目的をもった商品より、よりコンパクトに収納されることにより、レジわきや小スペースな場所でも陳列が可能になる。
（ロ）キャツプ上部にキャラクターなどの目立つアイテムを付属することにより、実用性だけでなく、商品のファッション性も高め訴求効果を上げることが実現できる。
【発明を実施するための最良の形態】
【０００６】  以下、本発明の実施の形態を説明する。
（イ）ペットボトルキャップ中央に蛇腹式ストローが入るくらいの穴をあける。
（ロ）同様にキャツプに付属するキャラクターなどのアイテムにも同サイズの穴をあける。
（ハ）キャップ、キャラクター、の順に蛇腹式ストローを差し込む。
（ニ）蛇腹式ストロー部は伸ばした時、キャツプ下の部分が５００ミリペットボトル下部に届くようにする。
（ホ）キャツプ部にはストロー先を収納する部をつける。
【図面の簡単な説明】
【０００７】
【図１】本発明の斜視図
【図２】本発明の分解斜視図
【図３】本発明の使用状態を示す斜視図
【符号の説明】
【０００８】１  蛇腹式ストロー
２  飲み口用差し込み口
３  ペットボトルキャップ
４  キャラクターアイテム
【図１】
2009273840.tif 000003
【図２】
2009273840.tif 000004
【図３】
2009273840.tif 000005
(57)【要約】【課題】  従来の割りばしでは、ふくろなどから取り出す時に楊枝が指にささる危険性があったり、楊枝をふくろごと捨ててしまうことがある。【解決手段】  割りばしの側面に楊枝の収納ポケットを作る。【選択図】図１
2009273839.tif 000002
【特許請求の範囲】
【請求項１】
割りばしの側面に、楊枝のポケットを作り収納できるようにします。
【発明の詳細な説明】
【技術分野】
【０００１】  本発明は、楊枝による怪我等をなくすための割りばしに収納する技術に関する。
【背景技術】
【０００２】
【発明の開示】
【発明が解決しようとする課題】
【０００３】  従来の割りばしでは、ふくろなどから取り出す時に楊枝が指にささる危険性があったり、楊枝をふくろごと捨ててしまうことがある。
【課題を解決するための手段】  楊枝を割りばしに収納します。
【発明の効果】  楊枝を割りばしに収納することによって開封時に楊枝が指に刺さったり、ふくろごと捨ててしまったりしなくなります。
【発明を実施するための最良の形態】  割りばしの側面に楊枝の収納ポケットを作る。
【図１】
2009273839.tif 000003
【手続補正書】
【提出日】平成20年7月11日(2008.7.11)
【手続補正１】
【補正対象書類名】明細書
【補正対象項目名】全文
【補正方法】変更
【補正の内容】
【発明の詳細な説明】
【技術分野】
【０００１】本発明は、楊枝による怪我等をなくすための割りばしに収納する技術に関する。
従来の割りばしでは、ふくろなどから取り出す時に楊枝が指にささる危険性があったり、楊枝をふくろごと捨ててしまうことがある。
楊枝を割りばしに収納することによって開封時に楊枝が指に刺さったり、ふくろごと捨ててしまったりしなくなります。
割りばしの側面に楊枝の収納ポケットを作り収納できるようにします。
【図面の簡単な説明】［楊枝ポケット付き割りばし］【図１】楊枝ポケット付き割りばしを正面から見た図である。
【図２】楊枝ポケット付き割りばしを横から見た図である。
【手続補正２】
【補正対象書類名】図面
【補正対象項目名】全図
【補正方法】変更
【補正の内容】
【図１】
2009273839.tif 000004
【図２】
2009273839.tif 000005
(57)【要約】【課題】口の中が暗いと歯と歯、歯グキの境目が明確でないため歯垢等の磨き残しを解消するために、照明装置付き歯ブラシを提供する。【解決手段】歯ブラシの柄の部分１に照明装置２を取り付け、口の中を照らして使う。【選択図】図１
2009273850.tif 000002
【特許請求の範囲】
【請求項１】
照明装置を設けた照明装置付き歯ブラシ。
【発明の詳細な説明】
【技術分野】
【０００１】この発明は、歯ブラシの柄の部分に照明装置を設けた、照明装置付き歯ブラシに関するものである。
【背景技術】
【０００２】従来、歯ブラシには口の中を照らす物が付いていない。
【発明の開示】
【発明が解決しようとする課題】
【０００３】歯磨きは、照明の明暗により口の中の明るさが左右されて、特に暗い場合は結果的に磨きが不十分になり歯垢、ヨゴレ、等残してしまうことがあったが、本発明は、この課題を解消するためになされたものである。
【課題を解決するための手段】
【０００４】歯ブラシの柄の部分１に照明装置２を付けて歯ブラシ方向に光が集まるようにした。
【発明の効果】
【０００５】歯ブラシを口に入れ歯を磨くと、ブラシ手前付近が明るく照らされ歯と歯グキの境目が良く解り、歯垢、ヨゴレ除去、歯グキマッサージ等しやすくなる。
【本発明お実施するための最良の形態】
【０００６】以下、本発明を実施するための最良の形態について説明する。
歯ブラシの柄の中央部分１に電池内蔵照明装置２を結束バンド３で固定する。
以上のような構造である。これを使用する時は照明装置のスイッチを入れ歯ブラシを持ち磨けばよい。
【図面の簡単な説明】
【０００７】
【図１】本発明の正面図である。
【図２】照明装置の断面図である。
【符号の説明】
【０００８】１    歯ブラシ本体
２    電池内蔵照明装置
３    結束バンド
４    本体
５    電球
６    スイッチ
７    電池
【図１】
2009273850.tif 000003
【図２】
2009273850.tif 000004
(57)【要約】【課題】本発明は竹箒の製造方法において、ジュースの空き缶を利用し加工、組立の容易性に優れた竹箒を提供することを目的とする。【解決の手段】ジュースの空き缶２、竹の枝４を配設し、針金５で固定させる。【選択図】図２
2009273848.tif 000002
【特許請求の範囲】
【請求項１】
ジュースの空き缶を利用した竹箒
【発明の詳細な説明】
【技術分野】
【００１】本発明は竹箒の製造方法において容易化と安全性と強力制をもたらすためのものである。
【背景技術】
【００２】従来の竹箒は竹の柄に竹の枝を組み合わせて針金で縛りつけたものである。
【発明の開示】
【発明が解決しようとする課題】しかしながら竹の柄に竹の枝を組み合わせて縛りつける作業は困難で手間がかかります。
【課題を解決するための手段】本発明のジュースの空き缶を利用した竹箒は製造の最初に竹の柄に空き缶を取り付けて竹の枝を柄と缶の間に入れて満杯になったところで竹の枝の外周を針金で縛ることで工作の容易化と竹箒の強力制を実現し、これにより上記の課題をかいけつするものである。
【発明の効果】本発明に係る竹箒はジュースの空き缶を利用したため加工、組立等の作業工程で流れ作業や資材の分割納入も出来て、規格性にも優れたものである。又、ジュースの空き缶を利用することでごみのリサイクルにも貢献できる。
【発明を実施するための最良の形態】図１に示すように竹の柄とジュースの空き缶を取付ける。次に図２に示すように竹の柄とジュースの空き缶の間に竹の枝を入れて固定する。次に図３に示すように竹の枝の外周を数ヶ所縛って充分固定する。
【図面の簡単な説明】
【図１】竹箒の柄と空き缶の立体図である。
【図２】竹箒の柄と空き缶の間に枝を入れている立体図である。
【図３】竹の枝を針金で縛りつけ完成した立体図である。
【符号の説明】
１．  竹箒の柄
２．  ジュースの空き缶
３．  空き缶と竹の枝の固定金具
４．  竹の枝
５．  針金
【図１】
2009273848.tif 000003
【図２】
2009273848.tif 000004
【図３】
2009273848.tif 000005
(57)【要約】【課題】  洗濯機で洗濯をする際、洗濯用棒状器具を使うことで洗濯物が絡まることなく仕上がり快適に毎回洗濯できる手段を提供する。【解決手段】  洗濯用棒状器具は図１で示すように摩擦に強く、衣類を傷つけず、雑菌の繁殖しない  乾燥しやすい素材で作り、洗濯時洗濯物と１本あるいは複数本を同時に入れて使用する簡単便利な洗濯用棒状器具を提供する。方法、素材、形状は改良していけるものとする。【選択図】図１
2009273849.tif 000002
【特許請求の範囲】
【請求項１】
洗濯層に洗濯物と共に入れて使用する洗濯用棒状器具において、少なくとも棒状器具の外周を緩衝性の素材で作った洗濯用棒状器具。
【請求項２】
洗濯層と洗濯物と共に入れて使用する洗濯用棒状器具において、両端を緩衝性の素材で作った洗濯用棒状器具。
【請求項３】
平均比重が０．７〜１．５の請求項１又２に記載の洗濯用棒状器具。
【請求項４】
長さが２０〜４０センチの請求項１，２又は３に記載の洗濯用棒状器具。
【発明の詳細な説明】
【技術分野】
【０００１】  本発明は洗濯機で洗濯を始める際、洗濯用棒状器具を洗濯物と同時に入れて使用することで洗濯物が絡むことなく出来る器具に関するものである。
【背景技術】
【０００２】  現在の洗濯機では洗濯物の絡みが干す際、手間を要し、生地を傷め大変不自由である。従来の洗濯機の中には絡みを防ぐのに洗濯機の水槽のなかに絡みを防ぐ構造を取り付けたものがあったが、水槽が狭くなり不便であった。
【発明の開示】
【発明が解決しようとする課題】
【０００３】  従来の方法では使用者が洗濯物を干す前に絡みを取り除くという無駄な労力を要し、さらに生地の損傷等問題点があった。本発明は、これらの問題点を解決するためになされたものである。
【課題を解決するための手段】
【０００４】  本発明は、洗濯層に洗濯物と共に入れて使用する洗濯用棒状器具において、少なくとも緩衝性の素材で作った洗濯用棒状器具である。【０００５】  本発明は洗濯層に洗濯物と共に入れて使用する洗濯用棒状器具において、両端を緩衝性の素材で作った洗濯用棒状器具である。【０００６】  又、平均比重が０．７〜１．５の洗濯用棒状器具である。【０００７】  更に、長さが２０〜４０センチの洗濯用棒状器具である。
【発明の効果】
【０００８】  洗濯機での洗濯において洗濯物の絡みをなくすることで洗濯物を解す無駄な労力を省き、衣類の損傷を無くし快適に洗濯できる。
【発明を実施するための最良の形態】
【０００９】  以下に本発明における実施の形状について図１−図９を参照にして詳細に説明する。【００１０】  洗濯用捧状器具は摩擦に強く、衣類を傷つけず、雑菌の繁殖しない乾燥しやすい緩衝性の素材で作り、それを洗濯物と１本あるいは複数本を同時に入れて使用する。【００１１】  実施例１は図１、図２に示すように棒状の形態をしており長さ２０〜４０センチで直径２〜５センチ、平均比重０．７〜１．５のものである。簡素な形が特徴。
実施例２は図３、図４に示すように棒状の形態のものに突起２を１２０度間隔で３箇所設ける。長さは３〜５センチで太さは直径１．５〜３センチのものである。洗濯物がより絡みにくい。
実施例３は図５、図６に示すように棒状の形態のものに突起を十字状に設けたもので長さ５〜７センチ太さは直径２〜５センチのものである。大きな洗濯物などに対応する。
実施例４は図７、図２に示すように棒状の形態の一方の端を重くして洗濯中に棒が斜め、あるいは立つ状態で洗濯でき上下広範囲に作用するものである。
実施例５は図８に示すように棒の両端に緩衝材をつけ間の棒３は材質を特に問わないものである。製作が簡単、低単価である。
上記実施例において本体は、図９に示すように芯は硬く外はやわらかい二重構造にしても良い。この場合、外側を緩衝材、芯の材質を特に問わない。
本発明は衛生的かつ使用簡単、便利であることを特長とし、形態等は以上種々の合体を含め改良していけるものとする。又、方法、素材、形状あるいは重量配分は改良するものとする。【００１２】  上記実施例１を使用した実験例について説明する。
タオル１５枚と肌着シャツ１枚で実験したところ
実験１−洗濯用棒状器具を使わない場合
シャツとタオルが絡んで両手で解きほぐした。
実験２−洗濯用棒状器具を１本使用した場合
絡みはほとんどなく両手で解く必要はなかった。
実験３−洗濯用棒状器具を２本使用した場合
実験２より改善した。実験１に比べ洗濯用棒状器具を使用することにより絡みと言う問題は解決できた。洗濯量と棒の本数のかかわりは今後の実験の課題となる。
【図面の簡単な説明】
【００１３】
【図１】洗濯用棒状器具の斜視図
【図２】図１の断面図
【図３】小さな突起を設けた洗濯用棒状器具の斜視図
【図４】図３の断面図
【図５】長い突起を直角に組合せた洗濯用棒状器具の斜視図
【図６】図５の断面図
【図７】一方の端を重くした洗濯用棒状器具の斜視図
【図８】棒の両端に緩衝材をつけた洗濯用棒状器具の斜視図
【図９】図２、図４、図６の本体を芯と外被の二重にした場合
【符号の説明】
【００１４】  １  洗濯用棒状器具の本体
２  突起
３  間の棒
１１  本体の外被
１２  本体の芯
【図１】
2009273849.tif 000003
【図２】
2009273849.tif 000004
【図３】
2009273849.tif 000005
【図４】
2009273849.tif 000006
【図５】
2009273849.tif 000007
【図６】
2009273849.tif 000008
【図７】
2009273849.tif 000009
【図８】
2009273849.tif 000010
【図９】
2009273849.tif 000011
(57)【要約】【課題】  傘立ての縁、パイプ、机の端部への掛け置きを可能とするための、スライドフック付折りたたみ傘の柄を提供する。【解決手段】  傘の柄にフックの収納部となるスペースを設け、スライドするフックを設けたことを特徴とするスライドフック付折りたたみ傘の柄。前記のフックの収納部となるスペースの両側にフックをスライドさせるためのガイド溝を設け、フックにガイド溝とのかみ合わせとフック脱落防止のためのストッパープレートを設けたことを特徴とするスライドフック付折りたたみ傘の柄。【選択図】図１
2009273845.tif 000002
【特許請求の範囲】
【請求項１】
傘の柄にフックの収納部となるスペースを設け、スライドするフックを設けたことを特徴とするスライドフック付折りたたみ傘の柄。
【請求項２】
前記のフックの収納部となるスペースの両側に、フックをスライドさせるためのガイド溝を設け、フックにガイド溝とのかみ合わせとフック脱落防止のためのストッパープレートを設けたことを特徴とする、請求項１記載のスライドフック付折りたたみ傘の柄。
【発明の詳細な説明】
【技術分野】
【０００１】  本発明は、傘立ての縁、パイプ、机の端部等への掛置きを可能とするための、スライドフック付折りたたみ傘の柄に関するものである。
【背景技術】
【０００２】  折りたたみ傘は鞄等に入れての携帯性を考慮してコンパクト化され、長傘のように湾曲する柄を有していない物が多数である、そのため雨天の際の未使用時は、傘本体を握るか柄部に設けてある吊下げ紐を握る、もしくは指通しにより携帯する方法が採られている。また、一般に敷設されている傘立ての形状は短尺である折りたたみ傘が置けるようには考慮されていない。
【発明の開示】
【発明が解決しようとする課題】
【０００３】  そのために、次のような問題点があった。
（イ）パイプ、机端部への掛置きが出来ない。
（ロ）雨天未使用時、傘立てへの立て掛け、吊下げの仮置きが出来ない。
（ハ）固定フックや長傘に見られる湾曲する柄の場合は、突起部が鞄等への収納時に不都  合な場合が有る。
本発明は、これらの問題点を解決するためになされたものである。
【課題を解決するための手段】
【０００４】  傘の柄にフックの収納部となるスペースを設け、スライドするフックを設けたことを特徴とするスライドフック付折りたたみ傘の柄。また、フックの収納部となるスペースの両側にフックをスライドさせるためのガイド溝を設け、フックにガイド溝とのかみ合わせと脱落防止のためのストッパープレートを設けたことを特徴とする、スライドフック付折りたたみ傘の柄。
【発明の効果】
【０００５】  本発明は、傘の柄に出し入れ可能なフックを設けることにより、パイプ、机端部への掛置き、傘立ての縁に掛置きが可能となる。さらに、フックは柄部に収まる形状とすることで突起物を無くし、鞄等へ収納する際にスペースを取などの不便さを解消することができる。
【発明を実施するための最良の形態】
【０００６】  以下、本発明の実施の形態を説明する．
（イ）柄（１）に、フック収納部（２）を設ける。
（ロ）フック収納部（２）の両側面に、ガイド溝（３）を設ける。
（ハ）両側面にストッパープレート（５）を設けたフック（４）をフック収納部（２）に  装着する。
本発明は以上のような構造でこれを使用するときは、柄（１）のフック収納部（２）よりフック（４）を引き出すことでパイプ、机端部への掛置きや傘立ての縁に掛置きが可能となる。その際、フック（４）に設けられたストッパープレート（５）がガイド溝（３）に挟み込まれた状態でスライドする。ストッパープレート（５）はフック（４）使用の際にはフック起き上がり防止の機能も、併せて持っている。
また、掛け置きしない場合や鞄等への収納時には、フック（４）は柄（１）に設けられたフック収納部（２）に押し込み収納することでフック（４）の突起をなくすことができる。
【実施例１】
【０００７】  図１４、１５、１６に示すように、柄（１）の形状が平坦で無く、お椀形状の場合でも同様の機構を構成することができる。
【図面の簡単な説明】
【０００８】
【図１】本発明のフック部を引き出した状態の斜視図
【図２】本発明のフック収納時上部平面図
【図３】本発明のフック収納時の側面図１
【図４】本発明のフック収納時の側面図２
【図５】本発明のフック収納時の側面図３
【図６】本発明のフックを引き出した状態の上部平面図
【図７】本発明のフックを引出した状態の側面図
【図８】図２に表記のＡ−Ａ’断面図
【図９】図２に表記のＢ−Ｂ’断面図
【図１０】図６に表記のＣ−Ｃ’断面図
【図１１】図２に表記のフック無しの状態のＡ−Ａ’断面図
【図１２】本発明のフック部の上部平面図
【図１３】本発明のフック部の側面図
【図１４】柄の形状が、お椀形状の場合のフック収納時側面図１
【図１５】柄の形状が、お椀形状の場合のフック収納時側面図２
【図１６】柄の形状が、お椀形状の場合のフックを引き出した状態の側面図
【符号の説明】
【０００９】    １  柄
２  フック収納部
３  ガイド溝
４  フック
５  ストッパープレート
６  ろくろ
７  中棒
８  傘布
９  止め紐
【図１】
2009273845.tif 000003
【図２】
2009273845.tif 000004
【図３】
2009273845.tif 000005
【図４】
2009273845.tif 000006
【図５】
2009273845.tif 000007
【図６】
2009273845.tif 000008
【図７】
2009273845.tif 000009
【図８】
2009273845.tif 000010
【図９】
2009273845.tif 000011
【図１０】
2009273845.tif 000012
【図１１】
2009273845.tif 000013
【図１２】
2009273845.tif 000014
【図１３】
2009273845.tif 000015
【図１４】
2009273845.tif 000016
【図１５】
2009273845.tif 000017
【図１６】
2009273845.tif 000018
(57)【要約】【課題】  この発明は、給湯中に生じていた湯温低下による燃料代の無駄と、入浴中の湯冷めの無駄を抑え、浴槽の湯を最大限効果的に利用出来る  家庭用サウナ風呂蓋を提供する。【解決手段】家庭用風呂蓋の端を三分割することにより、給湯中の湯温低下を防ぎ、かつ、入浴時の新陳代謝効果を高めるための簡易サウナ風呂蓋である。【選択図】図１
2009273841.tif 000002
【特許請求の範囲】
【請求項１】
家庭用風呂蓋の端を三分割することにより、給湯中の湯温低下を防ぎ、かつ、入浴時の新陳代謝効果を高めるための風呂蓋。
【発明の詳細な説明】
【技術分野】
【０００１】この発明は、給湯中の湯温低下を防ぎ、かつ、入浴中の新陳代謝効果をより高める為の家庭用風呂蓋に関するものである。
【背景技術】
【０００２】従来、大方の人々が、風呂蓋を全面的に外して給湯し、入浴中も、蓋をすっかり外した状態で入浴していた。
【発明の開示】
【発明が解決しようとしている課題】
【０００３】  そのために、以下のような問題点が生じていた。（イ）浴槽の蓋を全面的に外して給湯すれば、それだけ湯が冷めやすい。（ロ）浴槽に浸かっていても、無蓋状態での入浴は  湯船の表面から蒸気が逃げ、湯温も低下し、結果、保温効果が悪いため体が温まりにくく、体内の新陳代謝効果も低い。
【課題を解決するための手段】
【０００４】従来の風呂蓋の端を三分割し、蓋を効果的に使う。その蓋の使い方により、熱効率の良い給湯は元より、何通りもの効率的な入浴手段を得ることが出来るようにした風呂蓋である。
【発明の効果】
【０００５】従って、浴槽から蓋を外した従前の開放的な入浴方法はもとより、この蓋を使用することによって得られる効果は、１、給湯も蛇口の位置に合わせ、蓋の一部を開放するのみで出来るため、湯温の低下を防ぎ、これにより、わずかでも燃料代の節約が出来る。２、端を３分割したことにより、従前の無蓋状態での入浴は元より、蓋をした状態でも、右、左、中央などというふうに開放部を使い、各自、好みの入浴体勢が取れる。３、浴槽表面から立ち昇る蒸気を効果的に利用することにより、入浴中の新陳代謝が一層高まり、簡単なサウナ効果が期待出来る。４、端を三分割しただけの形態なので、浴槽からの出入りや、咄嗟の場合にも、簡単に蓋を外すことが出来る。
【発明を実施するための最良の形態】
【０００６】  以下、本発明の実施の形態について説明する。（イ）蓋の端を三分割する。（ロ）一枚一枚の蓋を曲げて前方へ折り曲げた際、何かのはずみで、曲げた部分の蓋が手前へ戻ってしまう危険を防止するため、さらには、温まり過ぎた際には、蓋もろとも簡単に外せる程度に、それぞれの端に適度な重みをつける。（ハ）それぞれの切り口、並びに端や角などは、危険防止のため、切りっ放しにせず、わずかながら丸みをつけておく。しかし、あまり丸くすると、今度は隙間から湯気が逃げやすい。  本発明は、以上の構成からなる、家庭用の簡易サウナ風呂蓋である。  以下、使用方法についての説明をする。
【図面の簡単な説明】
【０００７】
【図１】本発明の斜視図
【図２】給湯中の使用図
【図３】給湯中の使用図
【図４】入浴中の使用図。
【図５】入浴中の使用図。
【図６】入浴中の使用図。
【図７】入浴中の使用図。
【符号の説明】
【０００８】１．  〔図１〕上において、２．  ▲１▼は、蓋本体。３．  ▲２▼部分は、分割された蓋の端。４．  ▲３▼は、戻り防止のためにつけた重み。
【図１】
2009273841.tif 000003
【図２】
2009273841.tif 000004
【図３】
2009273841.tif 000005
【図４】
2009273841.tif 000006
【図５】
2009273841.tif 000007
【図６】
2009273841.tif 000008
【図７】
2009273841.tif 000009
(57)【要約】      （修正有）【課題】テレビで大地震のニュースが流れるたびに、マーケットなどでビンが床に散乱し、あと片づけをしている人達の姿が映し出される。普段の買物でマーケットの陳列棚を見ても、ビン類はものすごく低いわずかの冊のある棚に所せましと無防備に置かれている。このようなことに対して、大きな地震が起きた時に、店の陳列棚などから物が落ちるのを瞬時に防ぐ器具を提供する。【解決手段】大地震に於る急な陳列物落下に備え、上下二分割できるとともにバネ材７を圧縮内蔵させた筒状柱体１、２を陳列棚の左右前方に起立させ、地震の大きな揺れで支えのタガがはずれセットしてある帯状のシート３が瞬時に開いて陳列物の落下を防ぐようにした。【選択図】図３
2009273857.tif 000002
【特許請求の範囲】
【請求項１】
上下二分割出来るとともにバネ材を圧縮内蔵させた筒状柱体を陳列棚の左右前方に起立させ、この状態を棚の後部左右からそれぞれ前方向に突設した腕部材の先端部を筒状柱体の分割可部分に係止させて維持している、地震時陳列物落下防止のための器具。
【請求項２】
上記の筒状柱体の二分割部分には帯状シートの四隅をそれぞれ取り付け、バネ材が圧縮内蔵されている時は、紐のように細く畳まれているが、地震の振れで腕部材がはずれてバネが弾けると、シートが帯状に張られて陳列物の落下を防ぐようになっている、請求項１記載の陳列物落下防止器具
【発明の詳細な説明】
【技術分野】
【０００１】本発明は大きな地震が起きた時に、お店の陳列棚などから物が落ちるのを瞬時に防ぐ器具に関する。
【背景技術】
【０００２】陳列物の落下を防ぐ為に、陳列棚前方に横に取り付けた高めの棚板などをはめている所もあるかもしれない。
【発明の開示】
【発明が解決しようとする課題】
【０００３】従来マーケットや酒屋、デパートの食器売場などは、商品を美しく見せ、お客様にも取りやすく購売力を高める為に陳列棚の前面に付けているすべり止めのような防止棚はごく浅く、低いものであった。【０００４】本発明は普段は従来と同じようにほとんど棚を設けず、お客様の購売力をそぐことなく大きな地震が起った時だけ瞬時に装置が働き、床にビンや食器が落ちて壊れるのを未然に防ぐ器具を提供することを目的とするものである。
【課題を解決するための手段】
【０００５】本発明の地震時陳列物落下防止器具は上記目的を達成する為に上下二分割された筒状柱体を陳列棚の左右前方に起立させ、その柱体に帯状のシートが張られていることを特徴とする。【０００６】本発明は、大地震が起った時は上述の陳列棚の左右前方に起立させた筒状柱帯に内蔵されたバネが弾けてシートが開くが、何も起っていない通常は上下二分割されている上記の筒状柱体の間に内蔵されたバネが圧縮され棚後部の左右からそれぞれ前方向に突設した腕部材で上下開かないように係止されている。【０００７】本発明に於て上述の筒状柱体の二分割部分には帯状シートの四隅を各々取り付け、バネ材が圧縮内蔵されている時は、紐のように細く畳まれている。【０００８】本発明の陳列物落下防止器具はお酒のビンを多数扱っている店や大切な食器、こっとうを扱っている人達にとって地震による損害の恐怖を軽減し、安心感を提供することができる。
【発明を実施するための最良の形態】
【０００９】以下本発明の実施の形態を図１〜図５に基づいて説明する。【００１０】図１に於て第一の筒状柱体１と第二の筒状柱体２は、左右一対、陳列棚の前方に起立させて固定してある。
前述の柱体１と２の接合部分にはバネ７が圧縮され内蔵されている。と同時に柱体１と２には各々シートの上下の端が取り付けられている。【００１１】図２に於て陳列棚前方に起立している筒状柱体１と２の接合部分を６の筒状腕部材で支えている。筒状柱体１と２から各々出ている係止の為の具材９が６の筒の中にはめこまれ、筒状柱体１と２をバネの力で開かないように筒状柱体１と２の接合をとどめている。【００１２】図３に於て上述の［図１］［図２］に於る通常の状態とは違った大地震が起きた時の実施図を示してある。
大きく揺れることによって、６の筒状腕部材が係止の為の具材９からはずれ、筒状柱体１と２の間に圧縮内蔵されていたバネが弾けて第一の筒状柱体１が上方にはね上げられる。
どこかにとんで行ってしまわないように針金４で方向を定め、ボール状のストッパー５で受け止める。【００１３】図４に於て、正面から見た筒状柱体１と２とそれに付けられているシート３の断面図を示した。
第一の筒状柱体１と第二の筒状柱体２には各々接合部分にあたる所に伸縮性素材でできたキャップがはめこまれている。
各々には中央に穴があき、方向性を定め筒状柱体１と２をしっかり支える針金４を通してある。
このキャップでシート上下につけてある紐状のものをはさみ、大地震の時に開いたシートをしっかりととめておける役割を果している。【００１４】図５に於て側面から見た筒状柱体１と２とその接合を支えている筒状の腕部材６の断面図を示した。
【図面の簡単な説明】
【００１５】
【図１】本発明の通常時の正面図
【図２】本発明の通常時の側面図
【図３】本発明の地震発生時の実施形態を示す正面図
【図４】正面から見た通常時の筒状柱体の周辺の断面図
【図５】側面から見た通常時の筒状柱体の周辺の断面図
【符号の説明】
【００１６】１  筒状柱体の上部
２    同上  の下部
３  帯状シート
４  針金
５  やわらかい素材でできたボール状のストッパー
６  後方の棚にとりつけてある筒状の腕部材
７  バネ
８  バネを支え筒状柱体にはめるキャップ
９  筒状柱体に取り付けてある係止の為の具材
【図１】
2009273857.tif 000003
【図２】
2009273857.tif 000004
【図３】
2009273857.tif 000005
【図４】
2009273857.tif 000006
【図５】
2009273857.tif 000007
(57)【要約】【課題】  従来のコンドームでは避妊具としての認識が強く快感を損ねるため、口腔性交（フェラチオ）時にコンドームを装着する人が少なく、性感染症にかかる人が増加している。【解決手段】  コンドームの側面に孔部を形成しているため、直接摩擦することができることから快感を得る事が出来、本発明のコンドームを装着する使用者が増え、その結果、性感染症の予防につながる。【選択図】図１
2009273851.tif 000002
【特許請求の範囲】
【請求項１】
コンドームの表面に孔部を形成したことを特徴とするコンド−ム
【請求項２】
孔部は、コンドームの側面に形成した事を特徴とする請求項１記載のコンドーム
【発明の詳細な説明】
【技術分野】
【０００１】  本発明は性交時に用いるコンドームであって、特に口腔性交（フェラチオ）時の性感染症の防止に効果のある男性用のコンドームである。
【背景技術】
【０００２】  従来コンドームは特に避妊具として認識されているため、妊娠の恐れが無い場合や口腔性交（フェラチオ）時にはコンドームを装着しない場合が多くみられる。【０００３】  性感染症は感染した人の精液や膣分泌液のほか、性器、泌尿器などの病気をもつた場所の分泌液や病原体に触れることによって感染するが、性行為が多様化する現在、増加の傾向にある。
【発明の開示】
【発明が解決しようとする課題】
【０００４】  現在、口腔性交では性感染症にはならないと考えている人が多く、コンドームを装着せずに性行為を行い、性感染症になるケースが流行している。【０００５】  本発明は従来の性行為による性感染症の感染率を低下させることを目的とする。
【課題を解決するための手段】
【０００６】  そして、本発明はコンドームの表面に孔部を形成し、孔部はコンドームの側面に形成したものである。
【発明の効果】
【０００７】  本発明のコンドームは直接摩擦が得られかつ精液および分泌液が漏れない位置に孔部を形成したことにより従来のコンドームより快感を得る事ができ、しかも孔部から直接接触できるので精神的にも高揚し、本発明のコンドームを口腔性交（フェラチオ）時にも装着するという意識が高まり、その結果性感染症の感染率を下げる事ができる。
【発明を実施するための最良の形態】
【０００８】  以下、本発明の実施の形態を図１に基づいて説明する。【０００９】  １は精液だめで尿道口はゴムで覆われているので病原体の侵入および口腔への感染を防ぐことができる。【００１０】  ２はコンドーム本体で本体の材質は従来のものと同等もしくは孔部を形成し、直接摩擦を得られるため、若干厚めでもよい。【００１１】  ３は孔部でコンドームの側面に形成し４亀頭部と５陰茎部の境目に配設する。孔部の大きさ、形、数はコンドーム本体の強度により決定する。【００１２】  ６は装着前に孔部の位置が解かるように色、突起物、シール等で印をつけたもの
【図面の簡単な説明】
【００１３】
【図１】  本発明の正面図
【符号の説明】
【００１４】  １  精液だめ
２  コンドーム本体
３  孔部
４  亀頭部
５  陰茎部
６  孔部の位置を示すしるし
【図１】
2009273851.tif 000003
(57)【要約】【課題】本発明は、輪状ステータの両面に設けられた一対の輪状レゾルバカバーを同一形状とし、組立及び管理の利便性を向上させることを目的とする。【解決手段】本発明によるレゾルバステータ構造は、各輪状レゾルバカバー(1)の裏面(2)には、軸対象に複数のカバー支柱(3)及び溶着受け(4)が設けられ、各カバー支柱(3)の先端は溶着受けで溶着され、各輪状レゾルバカバー(1)は同一形状である構成である。【選択図】図１
2009273195.tif 000002
【特許請求の範囲】
【請求項１】
ステータ巻線(11)を有する輪状ステータ(10)と、前記輪状ステータ(10)に設けられた前記ステータ巻線(11)を覆うため前記輪状ステータ(10)の両面に設けられた一対の輪状レゾルバカバー(1)と、を備えたレゾルバステータ構造において、
前記各輪状レゾルバカバー(1)の裏面(2)には、軸対称に複数のカバー支柱(3)及び溶着受け(4)が設けられ、前記各カバー支柱(3)の先端は前記各溶着受け(4)で溶着され、前記各輪状レゾルバカバー(1)は、同一形状で構成されていることを特徴とするレゾルバステータ構造。
【請求項２】
前記カバー支柱(3)は２個よりなり、前記溶着受け(4)は２個よりなることを特徴とする請求項１記載のレゾルバステータ構造。
【発明の詳細な説明】
【技術分野】
【０００１】
本発明は、レゾルバステータ構造に関し、特に、輪状ステータの両面に設けられた一対の輪状レゾルバカバーを同一形状とし、組立及び管理の利便性を向上させるための新規な改良に関する。
【背景技術】
【０００２】
従来、用いられていたこの種のレゾルバステータ構造としては、例えば、特許文献１に開示されている輪状ステータの両面に一対の輪状レゾルバカバー（図示せず）が設けられている。
これらの一対の輪状レゾルバカバーは、輪状ステータに対して固定するために、一方の輪状レゾルバカバーに一体に突出して形成された複数のカバー支柱を相手方の輪状レゾルバカバーに設けられた溶着受けに係合させて溶着させていた。
【０００３】
【特許文献１】米国特許２００３／０２２５２９ＡＩ明細書
【発明の開示】
【発明が解決しようとする課題】
【０００４】
従来のレゾルバステータ構造は、以上のように構成されていたため、次のような課題が存在していた。
すなわち、一対の輪状レゾルバカバーのうち、一方の輪状レゾルバカバーには複数のカバー支柱のみが形成され、他方の輪状レゾルバカバーには複数の溶着受けのみが形成されていたため、常に、二種類の形状構成が互いに異なる輪状レゾルバカバーを製造しなくてはならず、製造、組立、メンテナンス時において、その管理が容易ではなかった。
【課題を解決するための手段】
【０００５】
本発明によるレゾルバステータ構造は、ステータ巻線を有する輪状ステータと、前記輪状ステータに設けられた前記ステータ巻線を覆うため前記輪状ステータの両面に設けられた一対の輪状レゾルバカバーと、を備えたレゾルバステータ構造において、前記各輪状レゾルバカバーの裏面には、軸対称に複数のカバー支柱及び溶着受けが設けられ、前記各カバー支柱の先端は前記各溶着受けで溶着され、前記各輪状レゾルバカバーは、同一形状で構成されている構成であり、また、前記カバー支柱は２個よりなり、前記溶着受けは２個よりなる構成である。
【発明の効果】
【０００６】
本発明によるレゾルバステータ構造は、以上のように構成されているため、次のような効果を得ることができる。
すなわち、ステータ巻線を有する輪状ステータと、前記輪状ステータに設けられた前記ステータ巻線を覆うため前記輪状ステータの両面に設けられた一対の輪状レゾルバカバーと、を備えたレゾルバステータ構造において、前記各輪状レゾルバカバーの裏面には、軸対称に複数のカバー支柱及び溶着受けが設けられ、前記各カバー支柱の先端は前記各溶着受けで溶着され、前記各輪状レゾルバカバーは、同一形状で構成されている構成である。
【発明を実施するための最良の形態】
【０００７】
本発明は、輪状ステータの両面に設けられた一対の輪状レゾルバカバーを同一形状とし、組立及び管理の利便性を向上させるようにしたレゾルバステータ構造を提供することを目的とする。
【実施例】
【０００８】
以下、図面と共に本発明によるレゾルバステータ構造の好適な実施の形態について説明する。
図１において符号１で示されるものは全体形状が輪状をなすと共に樹脂成形された輪状レゾルバカバーであり、この輪状レゾルバカバー１は図２のように、断面Ｌ字型をなすと共に、その裏面２には、この裏面２に対して垂直な状態で２本のカバー支柱３が一体に形成され、前記裏面２の前記各カバー支柱３と対向する位置に、凹型をなす２個の溶着受け４が一体に形成されている。
【０００９】
前記各カバー支柱３と各溶着受け４は、前記輪状レゾルバカバー１の裏面２において、軸対象に配設されており、この輪状レゾルバカバー１は、図４で示される輪状ステータ１０の両面に、ステータ巻線１１を覆うために設けられ、この輪状ステータ１０の内側には、輪状をなすロータ１２が回転自在に内設され、前記輪状レゾルバカバー１とロータ１２とによりレゾルバ１３が構成されている。
【００１０】
前記輪状レゾルバカバー１は、従来のように二種類必要とすることはなく、図１と同じ一種類のみを製造し、一対の輪状レゾルバカバー１を、図４のように、輪状ステータ１０の両面に互いに向き合う状態で装着すると、各輪状レゾルバカバー１のカバー支柱３が輪状ステータ１０のスロット（図示せず）を貫通して各溶着受け４に係合した状態となる。
【００１１】
前述の状態で、各輪状レゾルバカバー１の外面から加熱部材又は高周波加熱手段等によって加熱すると、図３で示されるように、４個所の溶着部１５が形成されることにより、各カバー支柱３の先端と各溶着受け４とは互いに溶着して一体に接合する。
【００１２】
従って、前記輪状レゾルバカバー１は、従来のように二種類の形状を用いる必要はなく、一種類、すなわち、図１と同一形状の輪状レゾルバカバー１のみを用いるだけでよく、製造、組立及び管理が極めて容易となる。
【図面の簡単な説明】
【００１３】
【図１】本発明によるレゾルバステータ構造の輪状レゾルバカバーを示す裏面図である。
【図２】図１の断面図である。
【図３】本発明によるレゾルバステータ構造を示す平面図である。
【図４】図３の断面図である。
【符号の説明】
【００１４】
１    輪状レゾルバカバー
２    裏面
３    カバー支柱
４    溶着受け
１０    輪状ステータ
１１    ステータ巻線
１２    ロータ
１５    溶着部
【図１】
2009273195.tif 000003
【図２】
2009273195.tif 000004
【図３】
2009273195.tif 000005
【図４】
2009273195.tif 000006